(57)【特許請求の範囲】
【請求項１】
支柱と、支柱の上部と中間部に一体に設けた連結受具と、支柱の上端に一体に起立させたインロー部と、支柱の側部に一体に設けた横材と、横材の端部に上記連結受具の位置に対応にして一体に設けた連結具とで一体形成した単一の枠体を多数用意し、一方の枠体における連結具に他方の枠体における連結受具を結合して複数の枠体を横方向に順次結合して任意巾の面体を構成させ、上記面体の背面側に複数の横架材を水平に張出させ、横架材上には足場板を面体に沿って架設させ、更に上記足場板上で上記横材を手摺として利用しながら上記インロー部に他の上方の枠体の支柱の下端を挿入して上記面体上に他の上方の面体を上記順序で組付けることを特徴とする枠組足場の組付方法。
【請求項２】
支柱と、支柱の上部と中間部に一体に設けた連結受具と、支柱の上端に一体に起立させたインロー部と、支柱の側部に一体に設けた横材と、横材の端部に上記連結受具の位置に対応にして一体に設けた連結具とで一体形成した単一の枠体を多数用意し、一方の枠体における連結具に他方の枠体における連結受具を結合して複数の枠体を横方向に順次結合して任意巾の面体を構成させ、上記面体を前後二列平行に配置すると共に各面体同志を複数の横架材で結合させ、横架材上には足場板を各面体に沿って架設させ、更に上記足場板上で上記横材を手摺として利用しながら上記インロー部に他の上方の枠体の支柱の下端を挿入して上記面体上に他の上方の面体を上記順序で組付けることを特徴とする枠組足場の組付方法。
【請求項３】
支柱と、支柱の上部と中間部に一体に設けた連結受具と、支柱の上端に一体に起立させたインロー部と、支柱の側部に一体に設けた横材と、横材の端部に上記連結受具の位置に対応にして一体に設けた連結具と、同じく上記横材の端部に上記支柱に対向する他の支柱とで一体形成した門型支柱で単一の枠体を構成している請求項１又は２に記載の枠組足場の組付方法。
【発明の詳細な説明】
【０００１】
【産業上の利用分野】
本発明は、建築工事、土木工事において構築物の外側面に対向して配設し、作業者が歩行したり、建築・土木作業を行ったり、機器を搬送するのに使用される作業足場たる枠組足場の組付方法に関する。
【０００２】
【従来の技術】
一般に建築・土木工事においては構築物の外側面に対向して作業用足場たる枠組足場を配設し、この枠組足場を利用していろいろな建築工事又は土木工事を行なっている。
【０００３】
この枠組足場は公知のように、例えば特開平６−４２１６１号公報に開示されているように、いわゆるビテイ足場と称する門型の建枠を前後方向に向けながら任意の間隔を置いて多数横方向に列設し、この建枠間に長手方向に沿って足場板を着脱自在に架設し、更に横方向に隣接する建枠間にはＸ字状にクロスするブレスを介在して建枠同志を結合したものである。この場合、門型の建枠は二本平行に起立した縦方向の支柱と、支柱同志を一体に結合した横架材とで構成され、この建枠は横架材が構築の外面に対して直角となるいわゆる前後方向に向けてたてかけてある。
【０００４】
【発明が解決しようとする課題】
上記の枠組足場は長年建築・土木工事に使用され馴れ親しまれた作業足場であり、機能上、作業性の上ですぐれたものであるが、次のような不具合の改善が望まれている。
【０００５】
第１に建築・土木工事現場の作業スペース等の関係から、一側足場、二側足場それぞれ専用部材が用意されて組立てられており、二側足場においては建枠の巾は必ずしも一定でなく、工事現場に応じて支柱間の巾長の異なるいろいろな建枠をその都度選択して使用している。この為、各工事現場の作業スペースに適合できるように巾長の異なる建枠を用意する必要があり、その結果組付性の制約を受け、建枠の同一の巾ごとの管理が困難であり、面倒であると共に保管場所の制約を受け、又不経済である。
【０００６】
第２に横方向に列設した隣接する建枠間はＸ字状にクロスするブレスで結合されているため、このブレスは建枠の連結部材として使用されると共に手摺の機能も備えているが、ブレスの上方、下方には大きな空間が発生し、特にブレスより上方の一定の高さに手摺が存在せず、安全性が損なわれるものである。そこで必ず別に親綱、安全帯を設ける必要があり、部品点数が多く、経済性、組付け性、作業性に劣るものである。
【０００７】
そこで、本発明の目的は、組付性の制約を受けず、管理が容易で保管場所の制約を受けず、経済的にすぐれ、親綱を必要とすることなく安全性にもすぐれた枠組足場の組付方法を提供することである。
【０００８】
【課題を解決するための手段】
上記の目的を達成するため、本発明の第１の方法は、支柱と、支柱の上部と中間部に一体に設けた連結受具と、支柱の上端に一体に起立させたインロー部と、支柱の側部に一体に設けた横材と、横材の端部に上記連結受具の位置に対応にして一体に設けた連結具とで一体形成した単一の枠体を多数用意し、一方の枠体における連結具に他方の枠体における連結受具を結合して複数の枠体を横方向に順次結合して任意巾の面体を構成させ、上記面体の背面側に複数の横架材を水平に張出させ、横架材上には足場板を面体に沿って架設させ、更に上記足場板上で上記横材を手摺として利用しながら上記インロー部に他の上方の枠体の支柱の下端を挿入して上記面体上に他の上方の面体を上記順序で組付けることを特徴とする。
【０００９】
同じく第２の方法は  支柱と、支柱の上部と中間部に一体に設けた連結受具と、支柱の上端に一体に起立させたインロー部と、支柱の側部に一体に設けた横材と、横材の端部に上記連結受具の位置に対応にして一体に設けた連結具とで一体形成した単一の枠体を多数用意し、一方の枠体における連結具に他方の枠体における連結受具を結合して複数の枠体を横方向に順次結合して任意巾の面体を構成させ、上記面体を前後二列平行に配置すると共に各面体同志を複数の横架材で結合させ、横架材上には足場板を各面体に沿って架設させ、更に上記足場板上で上記横材を手摺として利用しながら上記インロー部に他の上方の枠体の支柱の下端を挿入して上記面体上に他の上方の面体を上記順序で組付けることを特徴とするものである。
【００１０】
上記の場合、支柱と、支柱の上部と中間部に一体に設けた連結受具と、支柱の上端に一体に起立させたインロー部と、支柱の側部に一体に設けた横材と、横材の端部に上記連結受具の位置に対応にして一体に設けた連結具と、同じく上記横材の端部に上記支柱に対向する他の支柱とで一体形成した門型支柱で単一の枠体を構成しても良い。
【００１１】
【００１２】
【００１３】
【００１４】
【発明の実施の形態】
以下本発明の実施の形態を図にもとづいて説明する。
本発明の基本は、例えば、図１１に示す枠体を利用して図１に示すような枠組足場を形成する組立方法に関するものである。
即ち、この枠組足場の組立方法の基本は、支柱１と、支柱１の上部と中間部に一体に設けたフランジ７からなる連結受具と、支柱１の上端に一体に起立させたインロー部１ａと、支柱１の側部に一体に設けた水平材Ｐ及び２Ａ１からなる横材と、横材の端部に上記連結受具の位置に対応にして一体に設けた金具１３からなる連結具とで一体形成した単一の枠組フレーム３Ａからなる枠体を多数用意し、一方の左側の枠体における連結具に他方の右側の枠体における連結受具を結合して複数の枠体を横方向に順次結合して任意巾の面体を構成させ、上記面体の背面側に複数の横架材を水平に張出させ、横架材上には足場板５を面体に沿って架設させ、更に上記足場板５上で上記横材を手摺として利用しながら上記インロー部１ａに他の上方の枠体の支柱１の下端を挿入して上記面体上に他の上方の面体を上記順序で組付けることを特徴とする。
縦横に延びる面体は図１、図５に示すように建物に対して片側のみでも良く、図６に示すように前後二列平行に配置した２面であっても良い。
枠体は図２に示す門型支柱を使用しても良く、図７乃至図２１に示す枠体であっても良い。
図１は本発明の一実施の形態に係わる枠体を利用して組付けた枠組足場を示す。
同じく図２、図３、図４他の実施の形態に門型支柱を利用して組付けた枠組足場を示す。
同じく図６は他の実施の形態に係わる門型支柱を利用して組付けた枠組足場を示す。
【００１５】
図１は図１１に示す枠体を利用した枠組足場を示す。即ち、枠体たる枠組フレーム３Ａを縦横に組付けて前後二列のフレームＸ、Ｙを形成し、前後のフレームＸ、Ｙの中間に長手方向に沿って足場板５を配設したものである。横方向に配列した枠組フレーム３Ａ、３Ａ同志に於て、例えば左側の枠体における金具１３，１３に右側の枠体の支柱１を着脱自在に結合し、この結合方法によって横方向に多数の枠体を組付ける。他方縦方向に配列した枠組フレーム３Ａ、３Ａ同志に於いて、下方の支柱１の上端を上方の支柱１の下端に差し込んで組付ける。この場合の結合部分は図２２に示すインロー部１ａを利用して行うものである。前後二列のフレームＸ、Ｙ間には横架材が架設されてフレームＸ、Ｙを補強すると共に各横架材間に足場板５の端部を引掛けて足場板５を組付けている。前後二列のフレームＸ、Ｙの左端間及び右端間には上記の横架材と手摺部材５０，５０が架設されている。
【００１６】
ところで、被建築物の周囲に枠組足場を組付ける場合、本発明の場合には最初に足場板５の巾寸法を決め、この寸法に合せた足場板５を被建築物のコーナーにこの足場板５の寸法に合せた枠組フレーム３Ａ’、３Ａ’を介して設置し、次いでこの枠組フレーム３Ａ’、３Ａ’に他の枠組フレーム３Ａ、３Ａを横方向に連続させて平面で見てＬ字状の足場を構成させる。その結果、枠組足場全体はＬ字状に組付けられることに伴って横荷重に対して強度アップが図れる。上記の場合、コーナーの足場板５の巾寸法に合せた枠組フレーム３Ａ’は他の枠組フレーム３Ａより図示のように横寸法が足場板５の巾寸法に適合したものを使用している。尚、枠組フレーム３Ａを横方向に連続した時、被建築物の側面の巾に対応して途中で長さ調整が行われる。
【００１７】
上記の枠組足場で注目する点は縦横に各枠組フレーム３Ａ、３Ａを多数組付けることで簡単にフレームＸ、Ｙを形成できることはもちろんであるが、下方の枠組フレーム３Ａ、３Ａを組付けてフレームＸ、Ｙを形成した後で更に上方に同じ単一の枠組フレーム３Ａを一つ一つ組付けていく場合、下方の足場板５上に作業者が乗るが、この際必ず足場板５上には水平材Ｐ、２Ａ１によって手摺が形成されることになり組付け作業を命綱なしで安全に行えるものである。更に枠組足場を完成した後には斜材Ｒが補強用ブレスの機能を発揮する。
【００１８】
【００１９】
図５（Ａ）（Ｂ）（Ｃ）は図１４に示す枠組フレーム３Ｃを利用し、この枠組フレーム３Ｃを一側足場として組付けた実施の形態を示す。
枠組フレーム３Ｃは図１４に示すものが使用され、この枠組フレーム３Ｃ、３Ｃを縦方向と横方向に取付ている。縦方向には各上下の支柱１，１同志を結合し、横方向に隣接する枠組フレーム３Ｃ、３Ｃ同志は一方のフレーム２Ｃの外端金具１３と他方の支柱１の上部フランジ７とを結合するものである。この場合、例えば、建築中の建物Ｙの外面が曲がっているような場合には、この外面に沿って足場用フレームＺを組立てるに当って一方のフレーム２Ｃにおける金具１３のフランジ７に対する取付角度を変える。形成された足場用フレームＺには足場板１２５が連設される。この場合、フレーム２Ｃは手摺として使用されると共に斜め方向の補強用としてのブレスの機能を発揮する。
【００２０】
図２、図３、図４は例えば図７に示す枠組フレーム３からなる枠体を利用して組付けたものである。
この枠組フレーム３は、図２、図７において左側の支柱１と、支柱１の上部と中間部に一体に設けたフランジ７，７からなる連結受具と、支柱１の上端に一体に起立させたインロー部１ａと、支柱１の側部に一体に設けた手摺２又は２’からなる横材と、横材の端部に上記連結受具の位置に対応にして一体に設けたフランジ７，７からなる連結具と、同じく上記横材の端部に上記支柱１に対向する他の右側支柱１とで一体形成した門型支柱で単一の枠体を構成している。
そして、枠組フレーム３が横方向に前後二列複数起立して配設され、対向する前後の支柱１，１同志が横架材４で着脱自在に結合され、横方向に隣接する枠体が二本の水平材からなる中間の手摺２ａで結合されている。
更に前後の枠組フレーム３、３間に長手方向に沿って一つ又は複数の足場板５が直列に配設され、当該各足場板５の両端部が引掛部６を介してこの端部に対応する横架材４に着脱自在に引掛けられている。各支柱１の上部と中間には連結受具たるフランジ７，７が設けられている。更に足場板５の両側には長手方向に沿って複数の巾木８が直列に起立し、各巾木８の端部は図示例にあっては上記フランジ７の孔に着脱自在に結合されている。
【００２１】
前後の枠組フレーム３、３は対称位置に並べてもよく、又は一つづつずらして配列してのよい。前後の枠組フレーム３、３が一つづつずれた場合には、前側の枠組フレーム３に対して後側には手摺２ａが対向することになる。この場合、前後の枠組フレーム３、３に於いて、前後の枠組フレーム３における右側支柱１と後側枠組フレーム３における左側支柱１との間に横架材が架設される。
【００２２】
【００２３】
図６は図２乃至図４に示す枠組足場の組立方法と実質的に同じ方法で組立てた枠組足場を示し、例えば、図１５に示す枠組フレームを利用して組付けたものである。
この枠組フレームは、図６、図１５において左側の支柱１と、支柱１の上部と中間部に一体に設けたフランジ７，７からなる連結受具と、支柱１の上端に一体に起立させたインロー部１ａと、支柱１の側部に一体に設けた手摺２からなる横材と、横材の端部に上記連結受具の位置に対応にして一体に設けた金具１３，１３からなる連結具と、同じく上記横材の端部に上記支柱１に対向する他の右側支柱１’とで一体形成した門型支柱で単一の枠体を構成している。
そして、図１の場合と同じく、単一の枠体を多数用意し、一方の左側枠体における連結具（フランジ７）に他方の枠体における連結受具（フランジ７）を結合して複数の枠体を横方向に順次結合して任意巾の面体を構成させ、上記面体の背面側に複数の横架材４ｂを水平に張出させ、横架材４ｂ上には足場板５を面体に沿って架設させ、更に上記足場板５上で上記横材を手摺として利用しながら左右一対の支柱１，１’の各インロー部１ａに他の上方の枠体の支柱１、１’の下端を挿入して上記面体上に他の上方の面体を上記順序で組付けるものである。
【００２４】
図７乃至図８の枠体は二本平行に起立する支柱１，１と各支柱１，１の上部フランジ間に手摺２’、２’とからなり、上下いずれか又は両方のフランジ７，７に横材が着脱自在に結合されるようになっている。
【００２５】
図９の枠体は上部フランジ７と支柱１の外面に横材たるＵ字状の水平材２，２ｅの基端を結合し、水平材２の上部外端に金具１３を設けたものである。
【００２６】
図１０の枠体は上部フランジ７と支柱１の外面とに上下２本の水平材２ａ，２ａ及び中間に補強材２ｆを設け、中間のフランジ７に水平な巾木８を結合し、二本の水平材２，２と巾木８の外端を縦方向の支持桿２ｇで結合し、水平材２の外端に金具１３を設けたものである。
【００２７】
図１１乃至図１３の枠体は同一グループに属する枠体を示し、これらの枠体は基本的には全体が正面台形状又は長方形状を形成している点で共通している。
図１１の枠体は正面台形状の枠組フレーム３Ａを示す。
これらの枠組フレーム３Ａの基本は支柱１と、支柱１の上部と中間部に一体に設けたフランジ７からなる連結受具と、支柱１の上端に一体に起立させたインロー部１ａと、支柱１の側部に一体に設けた水平材Ｐ及び２Ａ１からなる横材と、横材の端部に上記連結受具の位置に対応にして一体に設けた金具１３からなる連結具とで一体形成した単一の枠組フレーム３Ａからなる枠体を構成している。
さらに、枠組フレーム３Ａは支柱１と、水平材Ｐと縦材Ｑと斜材Ｒとからなるフレーム２Ａとで正面台形状に形成している。
【００２８】
図１２の枠体は図１１の枠体に加えて支柱１と縦材Ｑとの間に一本の補強用水平材２Ａ２を架設したものである。
【００２９】
図１３の枠体は図１１の枠体に加えて支柱１の上部とフレーム２Ａの中間に補強用の斜材２Ａ３を架設したものである。
【００３０】
図１４の枠体は枠体全体が直角三角形を形成している。即ち、この枠体は支柱１と支柱１の上部と中間とに設けたフランジ７，７と、上部フランジ７と支柱１の下部外面とに基端を結合した水平材２ｃと、水平材２ｃの外端に上部フランジ７に対応して設けた金具１３とで構成している。
【００３１】
図１４の枠体は支柱１と各支柱１に横方向に向けて設けた手摺２と支持桿１’で構成され、支持桿１’に支柱１の上部と中間とに設けたフランジ７，７に対応して設けた金具１３とで構成している。
【００３２】
図１５の枠体は二本の支柱１、１と、支柱１、１間に架設された二本の手摺２，２と、一方の支柱に設けた二つのフランジ７，７と、他方の支柱１の側部にフランジ７，７と対応して設けた金具１３，１３とからなるものである。
【００３３】
図１６の枠体は二本の支柱１、１を中間の二本の水平材Ｑで結合し、一方の支柱１に水平材と縦材とからなる横材たるフレーム２Ｆを設け、他方の支柱１にこのフレーム２Ｆと対応する同一形状の他のフレーム２Ｆを設け、一方のフレーム２Ｆの外端に金具１３を設け、他方のフレーム２Ｆの外端に金具１３に対応する水平板からなる金具１３ａを設けたものである。
【００３４】
図１７の枠体は支柱１の上部と中間とに設けたフランジ７，７と、支柱１の上下外面に基端を結合した横材たるＶ字状のフレーム２ｂと、フレーム２ｂの外端に設けられて中間のフランジに対応する連結具たる金具１３とからなり、全体形状が正面から見て三角形又は二等辺三角形を構成しているものである。
【００３５】
図１８の枠体は図１７の枠体に水平材Ｌ３を取付けたものである。
【００３６】
図１９の枠体は支柱１と、支柱１に対して横材たるＶ字状フレームを結合し、このＶ字状フレームと支柱とで正面から見て直角三角形を二段に構成しているものである。
【００３７】
図２０の枠体は図１８の枠体に直角方向に横材を設けた構成としているものである。
【００３８】
図２１の枠体は図１８の枠体に横材たるＶ字状フレームを支柱１を中心に対称に設けた構成としているものである。
【００３９】
図２２は支柱１の上部を示し、支柱１の上端に他の支柱に差し込む小径のインロー部１ａを設けたものである。
【００４０】
図２３乃至図２７はフランジの各実施の形態を示す。
図２３（Ａ）（Ｂ）に記すフランジ７は中央の円盤７ａと、この円盤７ａの外周に設けた環状のフック７ｂとからなり、中央の孔を介して支柱１に挿入して固定するものである。
【００４１】
図２４（Ａ）（Ｂ）に記すフランジ７は円盤７ａと、この円盤７ａに円周方向に沿って設けた８つの係止孔ｃとで構成されている。
【００４２】
図２５（Ａ）（Ｂ）に記すフランジ７は本体７ｄと、本体７ｄに９０度づらして四方向に設けた耳片７ｅ、７ｅと、各耳片７ｅに形成した係止孔７ｇとで構成されている。
【００４３】
図２６に示すフランジ７は支柱１の外周と９０度づらして四方向に設けた断面Ｕ字状のソケット７ｆ、７ｆとからなり、ソケット７ｆの基端は溶接Ｗで結合されている。
【００４４】
図２７に示すフランジ７は支柱１の外周に固定した上下二つの支持環１２３，１２３間に挟持されながら回転できるようになっており、これによりフランジ７に結合した横材も任意の方向に回転できるようになっている。
【００４５】
図２８は補助用の支柱１Ａを示し、支柱１Ａの中間と上部とにフランジ７，７が設けられ、例えば図５に示す枠組足場に於いて端部に起立して使用するものである。
【００４６】
図２９は補強用の支柱１Ａを示し、支柱１Ａの側面に複数の金具１３を取付け、この金具１３を介して枠体の支柱１に沿わせて結合するものである。
【００４７】
図３０、図３１は横材たる横架材又は補強材として利用されるものである。
図３０の横架材はパイプ６０とパイプ６０の両端に設けた金具１３とからなる固定式のもので、金具１３，１３は支柱のフランジ７に着脱自在に結合される。図３１の横架材はアウターチューブとインナーチューブとからなる伸縮自在なパイプ６０Ａで構成され、両端に金具１３，１３が設けられている。
【００４８】
図３２乃至図３５は例えば図６に示す枠組足場や支保工における支柱１，１間に架設されるπ型の支柱結合用の補助材を示す。
図３２の補助材は水平なパイプ６１とパイプ６１の両端に設けた金具１３，１３と、パイプ６１の端部に垂設した二本の支持脚６２，６２と、各支持脚６２，６２の下端側部に設けた金具１３とからなるものである。この補助材は隣接する枠体における支柱１，１間に配設され、上下の各金具１３，１３をそれぞれ支柱１，１に結合するものである。
【００４９】
同じく図３３に示す補助材は実質的に図３２の補助材と同じであるが、各支持脚６２，６２の上部基端が回転自在及び着脱自在に結合されるようになっているものである。
【００５０】
同じく図３４に示す補助材は、図３３に示す補助材を改変したもので、これは支持脚６２を長くし、この支持脚６２の中間にもう一つの金具１３を設け、更に支持脚６２，６２の上端をピン等を介してパイプ６１の下端に着脱自在に取付けたものである。
【００５１】
同じく図３５に示す補助材は、図３４に示す補助材を改変したもので、パイプ６１をトラス状にしたものである。
【００５２】
図３６に示す補助材は、強度のある支保梁を兼ねた水平材たるビーム６３と、ビーム６３の端部に二段に設けた金具１３，１３と、インロー部１ａをビーム上に選択的に取付けられるようにしたものである。この場合、ビーム６３の下方には大きな空間が形成でき、この空間を利用して作業者や車両等が通過できる。
【００５３】
図３７は横材たる横架材や補強材の他の実施の形態を示す。これは二本以上の水平又は斜材２Ｈ、２Ｈと水平又は斜材２Ｈの基端にヒンジ結合された金具１３と、同じく他端にそれぞれ設けた金具１３，１３とで構成されたもので、支柱１に水平にも斜め方向にも結合できるようになっている。
【００５４】
図３８は手摺５０を示し、これは水平Ｕ字状の補強材と水平材の両端に設けた金具１３とで構成されている。
【００５５】
図３９は他の手摺５０を示し、これは三本の水平材と各水平材の両端部を結合する二本の縦材と、上下の水平材の両端に設けた四つの金具１３、１３とからなる。
【００５６】
図４０は連結金具として補助的に使用されるもので、隣接する支柱１，１同志を結合する場合に使用する。
【００５７】
【発明の効果】
本発明によれば、次の効果がある。
【００５８】
１  各請求項に係わる枠体の組立方法の発明によれば、  支柱と、支柱の上部と中間部に一体に設けた連結受具と、支柱の上端に一体に起立させたインロー部と、支柱の側部に一体に設けた横材と、横材の端部に上記連結受具の位置に対応にして一体に設けた連結具とで一体形成した単一の枠体を多数用意し、一方の枠体における連結具に他方の枠体における連結受具を結合して複数の枠体を横方向に順次結合して任意巾の面体を構成させ、更に足場板上で上記横材を手摺として利用しながら上記インロー部に他の上方の枠体の支柱の下端を挿入して上記面体上に他の上方の面体を上記順序で組付けるようにしているから、多数の単一の一体な枠体は一度に縦方向、横方向に組付けでき、簡単且つスピーディに枠組足場を組付けできる。
従って枠組足場の組立に必要な部材を多数用意する必要が無く、汎用性、組付性にすぐれている。
【００５９】
２  支柱と、支柱に設けた連結受具と、横材と、横材に設けた連結具と支柱同志を連結する小径のインロー部とを備えているから、これら同一部材のみで面体を構成でき、一側足場、二側足場と専用部材を必要とすることなく、組付できる。
【００６０】
３  請求項２における二側足場に於いては、任意巾の横架材を選択して架設するだけで、従来の建枠の巾ごとの機材保有が無くなり、機材毎の管理、保管場所の制約もうけず、経済性にすぐれている。
【００６１】
４  各請求項の発明によれば、枠体を縦横に連結した時、横方向に配設した支柱間には必ず横材が介在することになり、足場上で上方の枠体を組付ける時、この横材を手摺として利用できるから手摺先行の手順で作業でき、安全な環境で高所作業ができると共に、親綱及び安全帯の使用頻度が減り、作業姿勢及び移動が自然体でできるようになった。
【図面の簡単な説明】
【図１】  本発明の一実施例に係る枠組足場の一部切欠き斜視図である。
【図２】  本発明の他の一実施の形態に係る枠組足場の分解斜視図である。
【図３】  本発明の他の一実施の形態に係る枠体を利用して組付けた枠組足場における枠体の配列状態を示す分解斜視図である。
【図４】  本発明の他の一実施の形態に係る枠体を利用して組付けた枠組足場における枠体の配列状態を示す分解斜視図である。
【図５】  （Ａ）（Ｂ）（Ｃ）は本発明の他の実施の形態に係る枠体を利用して組付けた枠組足場の平面図と正面図と側面図である。
【図６】  本発明の他の実施の形態に係る枠体を利用して組付けた枠組足場の斜視図である。
【図７】  本発明の他の実施の形態に係る枠体の正面図である。
【図８】  本発明の他の実施の形態に係る枠体の正面図である。
【図９】  本発明の他の実施の形態に係る枠体の正面図である。
【図１０】  本発明の他の実施の形態に係る枠体の正面図である。
【図１１】  本発明の他の実施の形態に係る枠体の正面図である。
【図１２】  本発明の他の実施の形態に係る枠体の正面図である。
【図１３】  本発明の他の実施の形態に係る枠体の正面図である。
【図１４】  本発明の他の実施の形態に係る枠体の正面図である。
【図１５】  本発明の他の実施の形態に係る枠体の斜視図である。
【図１６】  本発明の他の実施の形態に係る枠体の正面図である。
【図１７】  本発明の他の実施の形態に係る枠体の正面図である。
【図１８】  本発明の他の実施の形態に係る枠体の正面図である。
【図１９】  本発明の他の実施の形態に係る枠体の正面図である。
【図２０】  本発明の他の実施の形態に係る枠体の斜視図である。
【図２１】  本発明の他の実施の形態に係る枠体の正面図である。
【図２２】  本発明の他の実施の形態に係る支柱の上端部の拡大正面図である。
【図２３】  （Ａ）（Ｂ）は本発明の実施の形態に係る連結受具たるフランジ体の平面図と縦断正面図である。
【図２４】  （Ａ）（Ｂ）は本発明の他の実施の形態に係る連結受具たるフランジ体の平面図と縦断正面図である。
【図２５】  （Ａ）（Ｂ）は本発明の他の実施の形態に係る連結受具たるフランジ体の平面図と縦断正面図である。
【図２６】  本発明の他の実施の形態に係る連結受具たるフランジ体の斜視図である。
【図２７】  本発明の他の実施の形態に係る連結受具たるフランジ体の側面図である。
【図２８】  本発明の他の実施の形態に係る枠組足場の端部に起立する補助支柱の正面図である。
【図２９】  本発明の他の実施の形態に係る枠組足場の端部に起立する補助支柱の斜視図である。
【図３０】  本発明の他の実施の形態に係る横材たる水平材の斜視図である。
【図３１】本発明の他の実施の形態に係る横材たる水平材の斜視図である。
【図３２】  本発明の他の実施の形態に係る枠体間に架設される補強用フレームの斜視図である。
【図３３】  本発明の他の実施の形態に係る枠体間に架設される補強用フレームの斜視図である。
【図３４】  本発明の他の実施の形態に係る枠体間に架設される補強用フレームの斜視図である。
【図３５】  本発明の他の実施の形態に係る枠体間に架設される補強用フレームの正面図である。
【図３６】  本発明の他の実施の形態に係る枠体間に架設される補強用フレームの斜視図である。
【図３７】  本発明の他の実施の形態に係る枠体間に架設される補強用フレームの正面図である。
【図３８】  本発明の他の実施の形態に係る枠組足場の端部に取付けられる手摺の斜視図である。
【図３９】  本発明の他の実施の形態に係る枠組足場の端部に取付けられる手摺の斜視図である。
【図４０】  本発明の一実施の形態に係る連結具の斜視図である。
【符号の説明】
１        支柱
１ａ      インロー部
２        横材たる手摺
５        足場板
７        フランジ
【図１】
0004047992.tif 000002
【図２】
0004047992.tif 000003
【図３】
0004047992.tif 000004
【図４】
0004047992.tif 000005
【図５】
0004047992.tif 000006
【図６】
0004047992.tif 000007
【図７】
0004047992.tif 000008
【図８】
0004047992.tif 000009
【図９】
0004047992.tif 000010
【図１０】
0004047992.tif 000011
【図１１】
0004047992.tif 000012
【図１２】
0004047992.tif 000013
【図１３】
0004047992.tif 000014
【図１４】
0004047992.tif 000015
【図１５】
0004047992.tif 000016
【図１６】
0004047992.tif 000017
【図１７】
0004047992.tif 000018
【図１８】
0004047992.tif 000019
【図１９】
0004047992.tif 000020
【図２０】
0004047992.tif 000021
【図２１】
0004047992.tif 000022
【図２２】
0004047992.tif 000023
【図２３】
0004047992.tif 000024
【図２４】
0004047992.tif 000025
【図２５】
0004047992.tif 000026
【図２６】
0004047992.tif 000027
【図２７】
0004047992.tif 000028
【図２８】
0004047992.tif 000029
【図２９】
0004047992.tif 000030
【図３０】
0004047992.tif 000031
【図３１】
0004047992.tif 000032
【図３２】
0004047992.tif 000033
【図３３】
0004047992.tif 000034
【図３４】
0004047992.tif 000035
【図３５】
0004047992.tif 000036
【図３６】
0004047992.tif 000037
【図３７】
0004047992.tif 000038
【図３８】
0004047992.tif 000039
【図３９】
0004047992.tif 000040
【図４０】
0004047992.tif 000041